(57)【要約】【課題】浄化設備等の簡素化を図るとともに、汚染領域において、微生物自体に栄養塩を持続して無駄なく付与し、活性化、増殖させとともに、微生物の移動を活発にして汚染領域の土壌や地下水の汚染物質を効率的に分解して浄化する汚染土壌の浄化方法を提供する。【解決手段】徐放性を有する栄養塩および嫌気性微生物を備えた微粉状の多孔質粉体１１を、有機塩素系化合物による汚染領域６の土壌粒子間へ地下水とともに移動させ、前記嫌気性微生物により有機塩素系化合物の分解を促進させることを特徴とする汚染土壌の浄化方法としたものである。【選択図】図１
2008029929.tif 000002
【特許請求の範囲】
【請求項１】
徐放性を有する栄養塩および嫌気性微生物を備えた微粉状の多孔質粉体を、有機塩素系化合物による汚染領域の土壌粒子間へ地下水とともに移動させ、前記嫌気性微生物により有機塩素系化合物の分解を促進させることを特徴とする汚染土壌の浄化方法。
【請求項２】
徐放性を有する栄養塩が、炭素数が６以上のカルボン酸を主成分または炭素数が１２以上のアルコールを主成分とした固体栄養塩であることを特徴とする請求項１に記載の汚染土壌の浄化方法。
【請求項３】
加熱して溶融させた固体栄養塩を微粉状の多孔質粉体に含浸させて固化したことを特徴とする請求項２に記載の汚染土壌の浄化方法。
【請求項４】
微粉状の多孔質粉体を、金属シリコンとしたことを特徴とする請求項１〜３のいずれか１項に記載の汚染土壌の浄化方法。
【請求項５】
微粉状の多孔質粉体を、固体栄養塩としたことを特徴とする請求項２に記載の汚染土壌の浄化方法。
【請求項６】
微粉状の多孔質粉体に、予め嫌気性微生物を移植することを特徴とする請求項１〜５のいずれか１項に記載の汚染土壌の浄化方法。
【請求項７】
帯水層の汚染領域の上流側に設けた井戸内に、徐放性を有する栄養塩を備えた微粉状の多孔質粉体を充填し、前記井戸内において多孔質粉体に嫌気性微生物を増殖させ、前記井戸から徐放性を有する栄養塩および嫌気性微生物を備えた多孔質粉体を、汚染領域の土壌粒子間へ地下水とともに移動させることを特徴とする請求項１〜６のいずれか１項に記載の汚染土壌の浄化方法。
【請求項８】
徐放性を有する栄養塩および嫌気性微生物を備えた微粉状の多孔質粉体をゲル状として、注入穴から汚染領域に圧入して供給することを特徴とする請求項１〜６のいずれか１項に記載の汚染土壌の浄化方法。
【発明の詳細な説明】
【技術分野】
【０００１】
本発明は、バイオレメディエーション法を用いて嫌気性微生物を活性化し、有機塩素系化合物で汚染された土壌及び地下水の浄化を促進して、汚染領域を原位置で短期間に浄化する技術に関するものである。
【背景技術】
【０００２】
従来、トリクロロエチレン等の有機塩素系化合物に汚染された土壌及び地下水の浄化設備とその浄化方法として、真空抽出法、揚水曝気法、石灰法、鉄粉法、土壌掘削置換法、土壌湿気式洗浄法、不溶化処理法、気・液混合井戸方法、エアースパージング方式、バイオレメディエーション法と、浄化に関して様々な方法が用いられるが、短期間かつ省エネルギーで、土壌及び地下水の汚染の浄化ができる方法は、鉄粉法とバイオレメディエーション法が上げられる。近年、省エネルギーと安価な費用の微生物を利用して汚染領域を浄化すること（バイオレメディエーション法）が注目を浴びている。
【０００３】
例えば、揚水ポンプで揚水した地下水に、微生物、酸素、栄養塩等を付与したリアクターを備え、リアクター内で有機塩素系化合物に汚染された地下水の浄化と、リアクター内の酸素、栄養塩等を付与した水溶液を地中に注入して有機塩素系化合物に汚染された地下水の浄化を併用する浄化方法がある（例えば、特許文献１）。
【０００４】
また、複数種類の有用微生物からなる有用微生物群、この有用微生物群の栄養塩、有用微生物群の繁殖を補助する基質を含有する透水性の処理層（成形体）を形成し、この地中に埋設した処理層中で、汚染された地下水の浄化を行う方法がある（例えば、特許文献２）。
【特許文献１】特開平９−２５３６８８号公報
【特許文献２】特開平１１−３３３４９３号公報
【発明の開示】
【発明が解決しようとする課題】
【０００５】
特許文献１に記載されたものは、栄養塩の供給量のバラツキによる過剰栄養塩の恐れがあるとともに、特に地上のシステムの大型化、複雑化を招く課題があった。また微生物、栄養塩等を付与した水溶液を地中に注水することにより、水溶液中の栄養塩は地下汚染領域の地下水に沿って土壌粒子間を移動していくが、微生物は注水位置のごく限られた土壌粒子に付着して地下汚染領域の全体にわたって移動しない。さらに既に土壌粒子に付着して生息している微生物も、栄養塩が存在したとしてもごく限られた範囲しか移動しないことが実証試験により判明している。このため地下汚染領域の全体にわたって微生物を存在させ、且つ活性化、増殖をさせることができず、有機塩素系化合物に汚染された土壌、地下水の浄化に長期間を要するか、完全に浄化することが困難であった。
【０００６】
また、特許文献２に記載されたものは、透水性の処理層（成形体）を形成し、地中に埋設した処理層中で、汚染された地下水の浄化を行うものであるが、地下水の流れを限定するための遮水壁、処理層である透水性バイオ壁等の大型要素が必要で、またその敷設工事、撤去工事が大掛かりとなる。また透水性バイオ壁部分での汚染物質の分解、浄化の負荷が大きく、汚染物質の濃度によっては、透水性バイオ壁部分から下流側へ汚染物質が流出することになる。透水性バイオ壁に生息する微生物は、透水性バイオ壁の下流側のごく限られた範囲しか移動しないため、汚染された土壌、地下水の浄化に長期間を要するか、完全に浄化すること困難であった。
【０００７】
また、一般的に栄養塩としては、流動性に優れる液体状のものがあるが、土壌または地下水に注入しても、下方への浸透および地下水に溶け込み、汚染領域から流出してしまい、微生物の活性化、増殖による汚染物質の分解作用を促進させる効果の持続性が低く、比較的短い周期で栄養塩を再注入する必要性があることや、過剰栄養塩の恐れを生じる。したがって汚染領域において、微生物自体に栄養塩を持続して無駄なく付与し、活性化、増殖させるとともに、微生物の移動を活発にして汚染領域の土壌や地下水の汚染物質を効率的に分解して浄化することが求められている。
【０００８】
本発明は、前記従来のような課題を解決するもので、浄化設備等の簡素化を図るとともに、汚染領域において、微生物自体に栄養塩を持続して無駄なく付与し、活性化、増殖させるとともに、微生物の移動を活発にして汚染領域の土壌や地下水の汚染物質を効率的に分解して浄化する汚染土壌の浄化方法を提供することを目的とするものである。
【課題を解決するための手段】
【０００９】
本発明は、前記従来の課題を解決するもので、徐放性を有する栄養塩および嫌気性微生物を備えた微粉状の多孔質粉体を、有機塩素系化合物による汚染領域の土壌粒子間へ地下水とともに移動させ、前記嫌気性微生物により有機塩素系化合物の分解を促進させることを特徴とする汚染土壌の浄化方法としたものである。
【発明の効果】
【００１０】
本発明の汚染土壌の浄化方法によれば、浄化設備等の簡素化を図るとともに、徐放性を有する栄養塩および嫌気性微生物を一体に備えた多孔質粉体として、微生物自体に栄養塩を持続して無駄なく付与し、活性化、増殖させるとともに、微生物の移動を活発にして汚染領域全体の土壌や地下水の有機塩素化合物を効率的に分解して浄化することができる。
【発明を実施するための最良の形態】
【００１１】
第１の発明は、徐放性を有する栄養塩および嫌気性微生物を備えた微粉状の多孔質粉体を、有機塩素系化合物による汚染領域の土壌粒子間へ地下水とともに移動させ、前記嫌気性微生物により有機塩素系化合物の分解を促進させることを特徴とする汚染土壌の浄化方法としたものである。
【００１２】
これによって浄化設備等の簡素化を図るとともに、徐放性を有する栄養塩および嫌気性微生物を一体に備えた多孔質粉体として、微生物自体に栄養塩を持続して無駄なく付与し、活性化、増殖させるとともに、微生物の移動を活発にして汚染領域全体の土壌や地下水の有機塩素化合物を効率的に分解して浄化することができる。
【００１３】
第２の記載の発明は、第１の発明において、徐放性を有する栄養塩が、炭素数が６以上のカルボン酸を主成分または炭素数が１２以上のアルコールを主成分とした固体栄養塩であることを特徴とする汚染土壌の浄化方法としたものである。
【００１４】
これによって多孔質粉体の嫌気性微生物に長期間にわたって栄養塩を付与して活性化、増殖を促進させることができる。さらに徐放性を有する栄養塩を用いたことによって過剰栄養塩の供給による様々な悪影響を防止することができる。
【００１５】
第３の記載の発明は、第２の発明において、加熱して溶融させた固体栄養塩を微粉状の多孔質粉体に含浸させて冷却固化したことを特徴とする汚染土壌の浄化方法としたものである。
【００１６】
これによって個々の多孔質粉体に徐放性の栄養塩を確実に一体化して固定化することができ、長期間安定して多孔質粉体に生息する嫌気性微生物に栄養塩を効率的に付与して活性化、増殖を促進させることができる。
【００１７】
第４の記載の発明は、第１〜第３の発明のいずれかにおいて、微粉状の多孔質粉体を、金属シリコンとしたことを特徴とする汚染土壌の浄化方法としたものである。
【００１８】
これによって、酸化時に発生する水素イオンにより有機塩素化合物の脱塩素化反応および還元化を促進させて汚染領域全体の土壌および地下水の有機塩素化合物をより短期間に効率的に浄化することができる。
【００１９】
第５の記載の発明は、第２の発明において、微粉状の多孔質粉体を、固体栄養塩としたことを特徴とする汚染土壌の浄化方法としたものである。
【００２０】
これによって多孔質粉体の作成を簡素化できるとともに、徐放性を有する栄養塩量が増加し、より長期間、嫌気性微生物に栄養塩を付与することができる。
【００２１】
第６の記載の発明は、第１〜５のいずれかの発明において、微粉状の多孔質粉体に、予め嫌気性微生物を移植することを特徴とする汚染土壌の浄化方法としたものである。
【００２２】
これによって汚染領域に生息する嫌気性微生物が少ない状況においても、汚染領域全体の土壌および地下水の有機塩素化合物をより短期間に効率的に分解し、浄化することができる。
【００２３】
第７の記載の発明は、第１〜６のいずれかの発明において、帯水層の汚染領域の上流側に設けた井戸内に、徐放性を有する栄養塩を備えた微粉状の多孔質粉体を充填し、前記井戸内において多孔質粉体に嫌気性微生物を増殖させ、前記井戸から徐放性を有する栄養塩および嫌気性微生物を備えた多孔質粉体を、汚染領域の土壌粒子間へ地下水とともに移動させることを特徴とする汚染土壌の浄化方法としたものである。
【００２４】
これによって浄化設備等の簡素化を図るとともに、徐放性を有する栄養塩および嫌気性微生物を一体に備えた多孔質粉体として、微生物自体に栄養塩を持続して無駄なく付与し、活性化、増殖させとともに、微生物の移動を活発にして汚染領域全体の土壌や地下水の有機塩素化合物を効率的に分解して浄化することができる。
【００２５】
第８の記載の発明は、第１〜６のいずれかの発明において、徐放性を有する栄養塩および嫌気性微生物を備えた微粉状の多孔質粉体をゲル状として、注入穴から汚染領域に圧入して供給することを特徴とする汚染土壌の浄化方法としたものである。
【００２６】
これによって注入穴から圧入する多孔質粉体を汚染領域に広く拡散させることができる。したがって汚染領域全体の土壌および地下水の有機塩素化合物をより効率的に浄化することができる。
【実施例】
【００２７】
以下、本発明の一実施例を、図１〜図３を参照しながら説明する。図１は一実施例に係る汚染土壌の浄化方法を実施するための基本構成断面図、図２は多孔質粉体の概略断面図、図３は他の例の汚染土壌の浄化方法を実施するための基本構成断面図である。
【００２８】
図１において、地表面１から順に、表土２、上部シルト層３、砂質土層４および下部シルト層５が累積した地層構造を有している。前記砂質土層４は、地下水を含む層、すなわち帯水層であり、ここに有機塩素化合物に汚染された汚染領域６の土壌および地下水が存在している。
【００２９】
汚染領域６の上流側に、地表面１から細長状に掘削して砂質土層４に達する井戸７を形成し、この井戸７に、井戸７の形状を保持する仕切体８を埋設している。仕切体８の少なくとも砂質土層４に位置する部分は地下水および微粉状の多孔質粉体１１が出入り可能な多数の小孔８ａを有している。また仕切体８の上端部には、蓋１０を着脱自在に備え、前記井戸７の上端部からに微粉状の多孔質粉体を充填、補給するものである。微粉状の多孔質粉体１１は、少なくとも砂質土層４の高さ方向に相当する部分には、有機塩素化合物の分解終了時点まで、多孔質粉体１１が常に存在するよう、定期的な目視または補給装置（図示なし）を用いて補給する。なお図中の実線矢印は地下水の流れ方向を示す。
【００３０】
次に、本発明の一実施例における栄養塩を備えた微粉状の多孔質粉体１１の構成を図２で説明する。まず栄養塩としては、種々のものがあるが、本実施例においては、一時的な過剰な栄養塩の付与を防止し、さらに長期的な安定した栄養塩の付与を可能とするため、徐放性を有する下記のものを用いている。
【００３１】
固体状の栄養塩は、炭素数が６以上のカルボン酸を主成分または炭素数が１２以上のアルコールを主成分とした材料組成のものである。カルボン酸としては、炭素数が６以上であることが必須であり、炭素数が６未満では水に対する溶解度が大きすぎ、短期間でその形状をとどめなくなり、一時的な過剰な栄養塩の付与と、さらに長期的な安定した栄養塩の付与ができないことから好ましくない。
【００３２】
また、炭素数の上限は特に設ける必要はないが、工業的に大量に入手可能な材料としては炭素数１８程度と考えられるが、炭素数が１８以下のものに限られるものではないことはいうまでもない。また、本実施の形態に用いるカルボン酸は直鎖状構造を有し、さらには飽和モノカルボン酸であることが好ましい。
【００３３】
また、アルコールとしては、炭素数が１２以上であることが必須であり、炭素数が１２未満では水に対する溶解度が大きすぎ、短期間でその形状をとどめなくなり、一時的な過剰な栄養塩の付与と、さらに長期的な安定した栄養塩の付与ができないことから好ましくない。炭素数の上限は特に設ける必要はないが、工業的に大量に入手可能な材料としては炭素数２０程度と考えられる。ただ、本発明におけるアルコールは炭素数２０以下のものに限定されるものではない。前記主成分であるカルボン酸やアルコールからなる栄養塩は、常温において固体であるが、物質の融点以上に加熱すると溶融状態となる。
【００３４】
また、微粉状の多孔質粉体１１は、多孔質のセラミック、金属シリコン等の材料からなる微粉状とし、この多孔質粉体１１の多孔部および表面部に、加熱して溶融させた固体栄養塩を含浸させて、その後冷却固化させたものである。また微粉状の多孔質粉体１１自体を、固体栄養塩を微粉状に成形または粉砕して構成してもよい。さらに、微粉状の多孔質粉体１１に、嫌気性微生物をバイオリアクター等の手段により予め付着させて移植し、栄養塩とともに一体に備えるようにすることもできる。
【００３５】
また、微粉状の多孔質粉体１１は、嫌気性微生物を生殖させるための最小限の大きさを有し、汚染領域６の土壌粒子間を地下水とともに通過可能な大きさに設定するもので、例えば粒径は１μｍ〜３００μｍの微粉状とするものである。
【００３６】
なお、井戸７の数、間隔等の配置構成は、有機塩素化合物に汚染された汚染領域６の状況に応じて適宜設定すればよい。また汚染領域６およびこの周辺に観測井戸（図示なし）を設け、有機塩素化合物の汚染および浄化状況を観察すればよい。
【００３７】
次に、前記図１の汚染土壌の浄化方法を実施するための基本構成断面図において、有機塩素化合物の分解作用について説明する。井戸７内において、多孔質粉体１１に備えた栄養塩が溶出し、多孔質粉体１１を核として、井戸７内とこの近傍に存在する嫌気性微生物および井戸７の地下水上流側からの嫌気性微生物を捕捉し、これを活性化して増殖させる。なお必要に応じて嫌気性微生物を井戸７内に供給することによって、多孔質粉体１１に嫌気性微生物をより短時間に増殖させることができる。
【００３８】
活性化して増殖させた嫌気性微生物を備えた多孔質粉体１１は、井戸７のから地下水流に沿って徐々に汚染領域６に流動、拡散していく。さらに流動する多孔質粉体１１は、汚染領域６を移動する過程で、既に汚染領域６に存在する嫌気性微生物も捕捉し、これらにも栄養塩を付与して活性化して増殖させる。このように嫌気性微生物は、汚染領域６を移動する過程で多孔質粉体１１から継続して栄養塩を得て活性化して増殖を持続し、汚染領域６の地下水および土壌粒子に存在する有機塩素系化合物の分解を促進させることができる。
【００３９】
また、多孔質粉体１１を、例えば１μｍ〜３００μｍの微粉状の小粒径としたことによって、汚染領域６の長い距離を流動することができるとともに、土壌粒子の隙間に容易に進入することができる。さらに被表面の増加による有機塩素系化合物との接触促進作用により、地下水および土壌粒子に付着した有機塩素化合物の分解を促進することができる。
【００４０】
また、多孔質粉体１１を微粉状の小粒径としたことに加え、多孔質粉体１１に徐放性を有する栄養塩を備えたことによって、多孔質粉体１１に増殖した嫌気性微生物に長期間にわたって持続して栄養塩を付与して、活性化、増殖を促進させることができる。さらに過剰栄養塩の供給による様々な悪影響を防止することができる。
【００４１】
従来は汚染領域６の全体にわたって十分な栄養塩を供給しても、嫌気性微生物の移動距離が短く、井戸７近傍の汚染領域６に存在する有機塩素系化合物の分解を促進できても、汚染領域６全体の分解を促進させることができず、完全な浄化が困難であった。
【００４２】
これに対して本実施例においては、汚染領域６の上流側に設けた井戸７内に、徐放性を有する栄養塩を備えた微粉状の多孔質粉体１１を充填し、前記井戸７内において多孔質粉体１１に嫌気性微生物を増殖させる。さらに増殖させた嫌気性微生物および嫌気性微生物へ付与する徐放性の栄養塩を備えた多孔質粉体１１を、前記井戸７から汚染領域６全体に流動、拡散させ、土壌粒子間へ地下水とともに移動させる。したがって活性化した嫌気性微生物の移動距離を著しく長くすることができ、汚染領域６全体の土壌および地下水の有機塩素化合物をより短期間に効率的に分解し、浄化することができる。
【００４３】
前記したように、多孔質粉体１１の多孔部および表面部に、加熱して溶融させた固体栄養塩を含浸させて、その後冷却固化させ、多孔質粉体１１に栄養塩を備えるようにしたものである。これによって個々の多孔質粉体１１に徐放性の栄養塩を確実に一体化して固定化することができ、長期間安定して多孔質粉体１１に生息する嫌気性微生物に栄養塩を効率的に付与して活性化、増殖を促進させることができる。
【００４４】
また、微粉状の多孔質粉体１１自体を、固体栄養塩を微粉状に成形または粉砕して構成してもよい。これによって多孔質粉体１１の作成を簡素化できるとともに、栄養塩量が増加することによってより長期間、嫌気性微生物に栄養塩を付与することができる。
【００４５】
さらに、微粉状の多孔質粉体１１に、嫌気性微生物をバイオリアクター等の手段により予め付着させて固定化し、栄養塩とともに一体に備えるようにすることもできる。これによって汚染領域６に生息する嫌気性微生物が少ない状況においても、汚染領域６全体の土壌および地下水の有機塩素化合物をより短期間に効率的に分解し、浄化することができる。
【００４６】
また、微粉状の多孔質粉体を、金属シリコンを用いることによって、酸化時に発生する水素イオンにより有機塩素化合物の脱塩素化反応および還元化を促進させて汚染領域６全体の土壌および地下水の有機塩素化合物をより短期間に効率的に浄化することができる。
【００４７】
また、前記したように井戸７内に、徐放性を有する栄養塩を備えた微粉状の多孔質粉体１１を充填し、前記井戸７内において多孔質粉体１１に嫌気性微生物を増殖させる。この際に井戸７内に、井戸７に埋設した仕切体８の多数の小孔８ａから流出できないサイズの例えば、砂、小石、繊維体、その他の小片よりなる拡散体９を多孔質粉体１１とともに井戸７内に充填してもよい。これによって多孔質粉体１１の井戸７内における分散と地下水の通水抵抗を減少させ、さらに嫌気性微生物の増殖をより促進させることができる。したがって活性化、増殖した嫌気性微生物を備えた多孔質粉体１１を、仕切体８の多数の小孔８ａから汚染領域６全体に流動、拡散させ、土壌粒子間へ地下水とともに移動させることができる。
【００４８】
特に炭素数が６以上のカルボン酸を主成分または炭素数が１２以上のアルコールを主成分とした材料組成の固体状の栄養塩の成形物からなる拡散体９を、小孔８ａから流出できないサイズの棒状、板状、球状等として多孔質粉体１１とともに井戸７内に充填してもよい。前記固体状の栄養塩が徐放性を有することから、地下水全体に、一時的な過剰な栄養塩の付与を防止するとともに長期的に安定した栄養塩の付与をさせることができる。したがって汚染領域６に生息する嫌気性微生物も活性化し増殖させ、汚染領域６全体の土壌および地下水の有機塩素化合物をより効率的に浄化することができる。
【００４９】
また、井戸７内において多孔質粉体１１を連続または間欠的に水流形成手段、回転体等による機械的手段（図示なし）により攪拌してもよく、これによって多孔質粉体１１の塊状化を防止するとともに井戸７からの汚染領域６への流動を促進することができる。
【００５０】
図３は他の汚染水の浄化方法を実施するための装置の基本構成図である。図１と同一箇所は同一番号を付し、構成、作用効果の説明を省略する。図１と異なるところは、汚染領域６に、地表面１から細長状に掘削して砂質土層４に達する注入穴１２を形成し、徐放性を有する栄養塩および嫌気性微生物を備えた微粉状の多孔質粉体１１をゲル状として、ゲル状とした多孔質粉体１１をタンク１３に貯留し、コンプレッサー１４により前記注入穴１２から圧入し、汚染領域６に供給するものである。
【００５１】
嫌気性微生物をバイオリアクター等の手段により予め付着させて固定化し、栄養塩とともに一体に備えるようにした微粉状の多孔質粉体１１と、ゲル化材とを混合して流動性を与えたゲル状とし、これを注入穴１２から圧入し、汚染領域６に供給する。ゲル化材としては、水、グリセリン、その他の一般的に用いられる物質でよいが、特に前記した固体状の栄養塩よりも炭素数の少ないカルボン酸またはアルコールを主成分としたゲル状体または液体を用いてもよい。ゲル状体または液体の栄養塩は徐放性が減少するが、汚染領域６に栄養塩が不足している状況においては即効ある栄養塩の付与を行うことができる。したがって汚染領域６に生息する嫌気性微生物も活性化し増殖させ、汚染領域６全体の土壌および地下水の有機塩素化合物をより効率的に浄化することができる。
【００５２】
図３に示す構成においては、注入穴１２は井戸７よりも小径でよく構成および掘削工事の簡素化が図れるとともに、注入穴１２から圧入することによって、圧入時において汚染領域６に多孔質粉体１１を広く拡散させることができる。したがって汚染領域６全体の土壌および地下水の有機塩素化合物をより効率的に浄化することができる。なお汚染領域６に、注入穴１２を設けたが、汚染領域６の地下水上流側に設けてもよく、さらに注入穴１２の数、間隔等の配置構成、多孔質粉体１１の注入頻度は、有機塩素化合物に汚染された汚染領域６の状況に応じて適宜設定すればよい。また汚染領域６およびこの周辺に観測井戸（図示なし）を設け、有機塩素化合物の汚染および浄化状況を観察すればよい。
【００５３】
以上のように、本発明の汚染土壌の浄化方法によれば、徐放性を有する栄養塩および嫌気性微生物を備えた微粉状の多孔質粉体を、有機塩素系化合物による汚染領域の土壌粒子間へ地下水とともに移動させ、前記嫌気性微生物により有機塩素系化合物の分解を促進させることを特徴とする汚染土壌の浄化方法としたものである。これによって浄化設備等の簡素化を図るとともに、徐放性を有する栄養塩および嫌気性微生物を一体に備えた多孔質粉体として、微生物自体に栄養塩を持続して無駄なく付与し、活性化、増殖させとともに、微生物の移動を活発にして汚染領域全体の土壌や地下水の有機塩素化合物を効率的に分解して浄化することができる。
【産業上の利用可能性】
【００５４】
有害物質を含有する汚染土壌、汚染水の浄化の用途に適用できる。
【図面の簡単な説明】
【００５５】
【図１】本発明の一実施例の汚染土壌の浄化方法を実施するための基本構成断面図
【図２】多孔質粉体の概略断面図
【図３】本発明の他の例の汚染土壌の浄化方法を実施するための基本構成断面図
【符号の説明】
【００５６】
１    地表面
２    表土
３    上部シルト層
４    砂質土層
５    下部シルト層
６    汚染領域
７    井戸
８    仕切体
８ａ  小孔
９    拡散体
１０  蓋
１１  多孔質粉体
１２  注入穴
１３  タンク
１４  コンプレッサー
【図１】
2008029929.tif 000003
【図２】
2008029929.tif 000004
【図３】
2008029929.tif 000005